(57)【要約】【課題】作業性の向上を図る。【解決手段】バスバーユニット２０は、複数のバスバー２１，２２を個別に収容する複数の収容部材２４，２５と、単一部材からなり、収容部材２４，２５と個別に嵌合可能な複数の嵌合部４１，４２が形成された多機能部材４０（保持部材）と、嵌合部４１，４２に形成され、収容部材２４，２５を嵌合部４１，４２に嵌合した状態でバスバー２１，２２を覆い隠す保護部４４，４５と、収容部材２４，２５を嵌合部４１，４２との嵌合状態に保持する保持位置と、収容部材２４，２５を嵌合状態から解放させる解放位置との間で変位可能であり、バスバー２１，２２が電極１１に位置決めされると、バッテリー１０の弾性アーム部１３（解除部）によって保持位置から解放位置へ変位させられる弾性係止片４６（係止部）とを備える。【選択図】図１５
2014082081.tif 000002
【特許請求の範囲】
【請求項１】
複数のバッテリーの電極を接続するための複数のバスバーと、
前記複数のバスバーを個別に収容する複数の収容部材と、
単一部材からなり、前記複数の収容部材と個別に嵌合可能な複数の嵌合部が形成された保持部材と、
前記嵌合部に形成され、前記収容部材を前記嵌合部に嵌合した状態で前記バスバーを覆い隠す保護部と、
前記嵌合部に形成され、前記収容部材を前記嵌合部との嵌合状態に保持する保持位置と、前記収容部材を前記嵌合部との嵌合状態から解放させる解放位置との間で変位可能であり、前記バスバーが前記電極に位置決めされると、前記バッテリー側に設けた解除部によって保持位置から解放位置へ変位させられる係止部とを備えていることを特徴とするバスバーユニット。
【請求項２】
前記保持部材に一体形成され、前記複数の嵌合部を相対変位可能に連結する弾性撓み可能な複数の連結部を備え、
前記複数のバスバーを前記バッテリーの前記電極に一括して位置決めする際には、前記連結部を弾性撓みさせることで前記複数の嵌合部を相対変位させるようになっていることを特徴とする請求項１記載のバスバーユニット。
【請求項３】
電極を有する複数のバッテリーと、
前記バッテリー側に設けられた解除部と、
前記電極に接続される複数のバスバーと、
前記複数のバスバーを個別に収容する複数の収容部材と、
単一部材からなり、前記複数の収容部材と個別に嵌合可能な複数の嵌合部が形成された保持部材と、
前記嵌合部に形成され、前記収容部材を前記嵌合部に嵌合した状態で前記バスバーを覆い隠す保護部と、
前記嵌合部に形成され、前記収容部材を前記嵌合部との嵌合状態に保持する保持位置と、前記収容部材を前記嵌合部との嵌合状態から解放させる解放位置との間で変位可能であり、前記バスバーが前記電極に位置決めされると、前記解除部によって保持位置から解放位置へ変位させられる係止部とを備えていることを特徴とするバスバーの取付け構造。
【発明の詳細な説明】
【技術分野】
【０００１】
本発明は、複数のバッテリーを接続するためのバスバーユニット及びバスバーの取付け構造に関するものである。
【背景技術】
【０００２】
特許文献１には、並列配置された複数のバッテリーを接続するために用いられるバスバーユニットが開示されている。このバスバーユニットは、バッテリーの電極同士を接続するための複数のバスバーと、複数のバスバーを保持する保持部材とを備えて構成されている。保持部材は、複数のバスバーを個別に収容するための複数の箱形をなす収容部を連結して構成されている。このバスバーユニットを用いれば、複数のバスバーを一括してバッテリーの電極に位置決めすることができる。
【先行技術文献】
【特許文献】
【０００３】
【特許文献１】特許第３７０７５９５号公報
【発明の概要】
【発明が解決しようとする課題】
【０００４】
上記のバスバーユニットを構成する保持部材は、バスバーが剥き出しになっていて、バスバーを電極に位置決めした後、すぐにボルトとナットによる固定作業を行うことができるのであるが、バスバーを位置決めする前に、剥き出し状態のバスバーに異物が付着する虞がある。この対策としては、各収容部にカバーを個別に取り付けておくことが考えられるが、バスバーを電極に位置決めした後、各収容部から個別にカバーを外すのは手間がかかり、作業性が良くない。
本発明は上記のような事情に基づいて完成されたものであって、作業性の向上を図ることを目的とする。
【課題を解決するための手段】
【０００５】
本発明のバスバーユニットは、
複数のバッテリーの電極を接続するための複数のバスバーと、
前記複数のバスバーを個別に収容する複数の収容部材と、
単一部材からなり、前記複数の収容部材と個別に嵌合可能な複数の嵌合部が形成された保持部材と、
前記嵌合部に形成され、前記収容部材を前記嵌合部に嵌合した状態で前記バスバーを覆い隠す保護部と、
前記嵌合部に形成され、前記収容部材を前記嵌合部との嵌合状態に保持する保持位置と、前記収容部材を前記嵌合部との嵌合状態から解放させる解放位置との間で変位可能であり、前記バスバーが前記電極に位置決めされると、前記バッテリー側に設けた解除部によって保持位置から解放位置へ変位させられる係止部とを備えているところに特徴を有する。
【０００６】
本発明のバスバーの取付け構造は、
電極を有する複数のバッテリーと、
前記バッテリー側に設けられた解除部と、
前記電極に接続される複数のバスバーと、
前記複数のバスバーを個別に収容する複数の収容部材と、
単一部材からなり、前記複数の収容部材と個別に嵌合可能な複数の嵌合部が形成された保持部材と、
前記嵌合部に形成され、前記収容部材を前記嵌合部に嵌合した状態で前記バスバーを覆い隠す保護部と、
前記嵌合部に形成され、前記収容部材を前記嵌合部との嵌合状態に保持する保持位置と、前記収容部材を前記嵌合部との嵌合状態から解放させる解放位置との間で変位可能であり、前記バスバーが前記電極に位置決めされると、前記解除部によって保持位置から解放位置へ変位させられる係止部とを備えているところに特徴を有する。
【発明の効果】
【０００７】
本発明によれば、バスバーを電極に位置決めする前の状態において、収容部材に収容されているバスバーを、保護部によって覆い隠すことにより、バスバーに対する異物の付着を防止できる。また、バスバーが電極に対して位置決めされると、係止部が、解除部により保持位置から解放位置へ変位させられて、収容部材は嵌合部との嵌合状態から解放されるので、作業者は、係止部を解放位置へ変位させるための作業を行わずに済む。しかも、嵌合部が形成されている保持部材は単一部材であるから、複数の収容部材から複数の嵌合部を離脱させる作業を、ワンアクションで行うことができる。したがって、作業性に優れている。
【図面の簡単な説明】
【０００８】
【図１】本実施例１の多機能部材の斜視図
【図２】多機能部材を構成する第１嵌合部の背面図
【図３】図２のＡ−Ａ線断面図
【図４】図２のＢ−Ｂ線断面図
【図５】収容部材にバスバーを組み付けた状態をあらわす斜視図
【図６】第１収容部材の正面図
【図７】図６のＣ−Ｃ線断面図
【図８】図６のＤ−Ｄ線断面図
【図９】第１バスバーの正面図
【図１０】バッテリーを並列配置した状態をあらわす斜視図
【図１１】バッテリーの正面図
【図１２】図１１のＥ−Ｅ線断面図
【図１３】図１１のＦ−Ｆ線断面図
【図１４】バスバーユニットをバッテリーに取り付ける前の状態をあらわす断面図
【図１５】バスバーユニットをバッテリーに取り付ける過程をあらわす断面図
【図１６】バスバーユニットをバッテリーに取り付ける過程をあらわす断面図
【図１７】バスバーユニットをバッテリーに取り付けた状態をあらわす断面図
【発明を実施するための形態】
【０００９】
本発明のバスバーユニットは、
前記保持部材に一体形成され、前記複数の嵌合部を相対変位可能に連結する弾性撓み可能な複数の連結部を備え、
前記複数のバスバーを前記バッテリーの前記電極に一括して位置決めする際には、前記連結部を弾性撓みさせることで前記複数の嵌合部を相対変位させるようになっていてもよい。
この構成によれば、バッテリーが位置ずれしていても、連結部を弾性撓みさせてバスバーの位置を相対変位させることにより、複数のバスバーをバッテリーの電極に一括して位置決めすることができる。
【００１０】
＜実施例１＞
以下、本発明を具体化した実施例１を図１〜図１７を参照して説明する。本実施例で説明するバスバー２１，２２の取付け構造は、図１０に示すように、左右方向に並列配置した複数の板状をなすバッテリー１０を導通可能に接続するためのものであり、複数のバッテリー１０と１つのバスバーユニット２０とを備えて構成されている。
【００１１】
各バッテリー１０の縦長の前端面には、夫々、上下一対の電極１１が設けられており、隣り合うバッテリー１０の（＋）電極１１と（−）電極１１は、上下逆の配置である。つまり、（＋）電極１１と（−）電極１１が上下交互に千鳥配置されている。左右に並列配置された複数のバッテリー１０は、千鳥配置された第１バスバー２１で（＋）電極１１と（−）電極１１とを連結することにより、直列に接続される。各電極１１には、夫々、軸線を前後方向に向けた雌ネジ孔１２が形成され、この雌ネジ孔１２には、電極１１にバスバー２１，２２（図５参照）を固定するためのボルト１５（図１６，１７参照）がねじ込まれるようになっている。
【００１２】
図１０〜１３に示すように、バッテリー１０の前面には、各電極１１を上下に挟むように配置された２対の弾性アーム部１３（本発明の構成要件である解除部）が形成されている。対をなす弾性アーム部１３は、前方へ片持ち状に延出した形態であって上下方向に弾性変位可能である。各弾性アーム部１３の前端部（突出端部）には、対をなす弾性アーム部１３に向かって上方又は下方へ突出するロック突起１４が一体に形成されている。ロック突起１４は、弾性アーム部１３と幅寸法（左右方向の寸法）が同じであり、双方の左右両外側面が面一状に連なっている。
【００１３】
この対をなす弾性アーム部１３は、後述する収容部材２４，２５（図５参照）をバッテリー１０への組付け状態にロックする機能と、後述する弾性係止片４６を保持位置から解放位置へ強制的に弾性変位させて多機能部材４０と収容部材２４，２５の嵌合を解除する機能と、バッテリー１０に対して収容部材２４，２５を左右方向に位置決めする機能とを兼ね備えている。
【００１４】
バスバーユニット２０は、図１，５，１４〜１７に示すように、複数の第１バスバー２１と、２つの第２バスバー２２と、第１バスバー２１と同数の第１収容部材２４と、２つ（第２バスバー２２と同数）の第２収容部材２５と、単一部品からなる多機能部材４０（本発明の構成要件である保持部材）とを備えて構成されている。
【００１５】
第１バスバー２１は、横長の略長方形をなす金属板材からなる。図５，９に示すように、第１バスバー２１には、左右一対の接続孔２３が形成されている。第１バスバー２１は、隣り合うバッテリー１０の（＋）電極１１と（−）電極１１とを接続する。第２バスバー２２は、略正方形をなす金属板材からなる。図５に示すように、第２バスバー２２には、１つの接続孔２３が形成されている。第２バスバー２２は、並列方向（左右方向）における両端に位置するバッテリー１０の電極１１のうち、第１バスバー２１と接続されない上側の電極１１に接続される。つまり、図５の左側の第２バスバー２２と右側の第２バスバー２２との間において、複数のバッテリー１０が、複数の第１バスバー２１を介して直列接続されている。
【００１６】
第１収容部材２４は、合成樹脂材料（絶縁材料）によって金型成形されたものである。図５〜８に示すように、第１収容部材２４は、前後両面が開放された横長の角筒状なす周壁部２６と、周壁部２６の後端の開口縁から内側へ張り出した枠部２７とを一体に形成した形態である。第１収容部材２４の内部には、前方から第１バスバー２１が周壁部２６に圧入することによって収容されている。収容された第１バスバー２１は、その後面外縁部を枠部２７に当接させることにより、前後方向に位置決めされている。
【００１７】
第１収容部材２４の周壁部２６を構成する上壁部２８の外面（上面）と下壁部２９の外面（下面）には、夫々、第１収容部材２４の後端縁に開放された左右一対の溝部３０が形成されている。溝部３０の幅寸法は、弾性アーム部１３より少し広い幅寸法である。この溝部３０は、上記弾性アーム部１３と協動することにより、第１収容部材２４をバッテリー１０への組付け状態にロックする機能と、第１収容部材２４をバッテリー１０（電極１１）に対して左右方向に位置決めする機能とを兼ね備える。また、上記ロック突起１４と協動することにより、第１収容部材２４を、バッテリー１０に組み付ける際にガイドする機能も兼ね備える。
【００１８】
第２収容部材２５は、合成樹脂材料（絶縁材料）からなる。第２収容部材２５は、図５に示すように、前後両面が開放された略正方形の角筒状なす周壁部２６と、周壁部２６の後端の開口縁から内側へ張り出した枠部２７（図示省略）とを一体に形成した形態である。第２収容部材２５の内部には、前方から第２バスバー２２が周壁部２６に圧入することによって収容されている。収容された第２バスバー２２は、その後面外縁部を枠部２７に当接させることにより、前後方向に位置決めされている。
【００１９】
第２収容部材２５の周壁部２６を構成する上壁部２８の外面（上面）と下壁部２９の外面（下面）には、夫々、第２収容部材２５の後端縁に開放された１つ溝部３０が形成されている。溝部３０の幅寸法は、第１収容部材２４の溝部３０と同じで弾性アーム部１３より少し広い幅寸法である。この溝部３０は、上記弾性アーム部１３と協動することにより、第２収容部材２５をバッテリー１０への組付け状態にロックする機能と、第２収容部材２５をバッテリー１０（電極１１）に対して左右方向に位置決めする機能とを兼ね備える。また、上記ロック突起１４と協動することにより、第２収容部材２５を、バッテリー１０に組み付ける際にガイドする機能も兼ね備える。
【００２０】
第１収容部材２４及び第２収容部材２５の前後方向における溝部３０の形成領域は、周壁部２６（上壁部２８及び下壁部２９）の略中央位置から後端に至る範囲である。溝部３０の前端部には、その外面を凹ませた貫通形態のロック孔３１が形成されている。ロック孔３１にはロック突起１４が嵌入されるようになっている。上壁部２８及び下壁部２９の外面には、夫々、係止突起３２が突出形成されている。係止突起３２は、ロック孔３１の前方に隣接するように配置されている。係止突起３２には、後述する弾性係止片４６の係止孔４７が嵌合されるようになっている。
【００２１】
多機能部材４０は、合成樹脂材料によって金型成形されたものである。図１に示すように、多機能部材４０は、第１収容部材２４及び第１バスバー２１と同数の第１嵌合部４１と、２つ（第２収容部材２５及び第２バスバー２２と同数）の第２嵌合部４２と、複数の連結部４３とを一体に形成して構成されている。この多機能部材４０は、複数の収容部材２４，２５（バスバー２１，２２）を所定の電極１１と対応する配列となるように一括して位置決めして保持する機能と、一括保持した収容部材２４，２５とバスバー２１，２２を一括してバッテリー１０及び電極１１に位置決めして取り付ける機能とを兼ね備える。また、この多機能部材４０は、バッテリー１０の並列ピッチがずれていた場合に、その電極１１の位置ずれに対応して収容部材２４，２５及びバスバー２１，２２の位置を矯正することで、バッテリー１０の位置ずれを吸収する機能も兼ね備える。
【００２２】
図１〜４に示すように、第１嵌合部４１は、横長の略長方形をなす平板状の第１保護部４４と、２対の弾性係止片４６（本発明の構成要件である係止部）とを一体に形成して構成されている。第１保護部４４は、第１収容部材２４の前面の開口全体を塞ぐ形態である。２対の弾性係止片４６は、上下に対向するもの同士が対をなし、左右に間隔を空けて配置されている。図１に示すように、第２嵌合部４２は、縦長の長方形をなす平板状の第２保護部４５と、上下一対の弾性係止片４６とを一体に形成して構成されている。第２保護部４５は、第２収容部材２５の前面の開口全体を塞ぐ形態である。
【００２３】
上下で対をなす弾性係止片４６は、保護部４４，４５の上縁と下縁から後方へ片持ち状に延出した形態である。弾性係止片４６の後端部（延出端部）には、貫通形態の係止孔４７が形成されている。この弾性係止片４６は、常には、係止孔４７を収容部材２４，２５の係止突起３２と嵌合させることが可能な保持位置（図１４，１７を参照）を保つが、係止孔４７を係止突起３２との嵌合から解除させる解放位置（図１５を参照）へ弾性変位し得るようになっている。
【００２４】
図１に示すように、複数の第１嵌合部４１は、上下２段に分かれて千鳥配置されている。即ち、上段の複数の第１嵌合部４１と下段の複数の第１嵌合部４１し、夫々、左右方向に一列に整列して配置されているが、上段の第１嵌合部４１と下段の第１嵌合部４１は、互いに左右にずれた位置関係となっている。上段の第１嵌合部４１の数は、下段の第１嵌合部４１の数よりも１つ少ない。そして、２つの第２嵌合部４２は、上段の第１嵌合部４１を左右から挟むように配置されている。
【００２５】
連結部４３は、略半円弧形に湾曲した板状をなし、弾性変形可能となっている。連結部４３は、隣り合う嵌合部４１，４２同士を連結する機能と、左右方向に連結した嵌合部４１，４２を接近・離間させるように相対変位させることでバッテリー１０の左右の位置ずれを吸収する機能を兼ね備えている。上段においては、左右に隣り合う第１嵌合部４１同士が１つの連結部４３で連結されているともに、第２嵌合部４２と最も端に位置する第１嵌合部４１とが１つの連結部４３で連結されている。下段においては、左右に隣り合う第１嵌合部４１同士が１つの連結部４３で連結されている。
【００２６】
また、上段と下段との間では、上段の第２嵌合部４２と下段において最も端に位置する２つの第１嵌合部４１とが、１つの連結部４３で連結されているだけである。上段の第１嵌合部４１と下段の第１嵌合部４１は、連結部４３で連結されていない。したがって、上段の第１嵌合部４１と下段の第１嵌合部４１は、互いに独立して自由に左右方向へ相対変位し得るようになっている。
【００２７】
次に、バスバー２１，２２を電極１１に接続する作業工程を説明する。まず、図５に示すように、第１バスバー２１を第１収容部材２４内に収容し、第２バスバー２２を第２収容部材２５内に収容しておく。次に、図１４に示すように、第１嵌合部４１に対し第１収容部材２４を後方から嵌合し、第２嵌合部４２に対し第２収容部材２５を後方から嵌合する。嵌合状態では、保護部４４，４５が、収容部材２４，２５の前面に当接してその開口全体を覆い隠すので、バスバー２１，２２に対する異物の干渉が防止される。
【００２８】
また、弾性係止片４６が収容部材２４，２５の上壁部２８の外面と下壁部２９の外面に面当たりすることにより、嵌合部４１，４２と収容部材２４，２５とが、上下方向への相対変位を規制されて位置決めされた状態となる。さらに、係止孔４７が係止突起３２に係止することにより、嵌合部４１，４２と収容部材２４，２５とが、左右方向及び前後方向（嵌合部４１，４２と収容部材２４，２５が離間する方向）への相対変位を規制されて位置決めされた状態となる。係止孔４７と係止突起３２が係止した状態では、弾性係止片４６の延出端部（後端部）が、ロック孔３１と対応してロック孔３１を外面側から覆うように位置する。このようにして複数の収容部材２４，２５が、多機能部材４０（嵌合部４１，４２）に対して組付け状態に保持されることで、図１４に示すように、バスバーユニット２０が構成される。
【００２９】
このように組み付けられたバスバーユニット２０は、前方からバッテリー１０に取り付けられる。取付けに際しては、各収容部材２４，２５を、上下で対をなす弾性アーム部１３の間に割り込ませ、弾性アーム部１３を弾性変形させた状態でロック突起１４に溝部３０を嵌合させるようにする。すると、上下で対をなす弾性アーム部１３の間で収容部材２４，２５が上下への大きな移動を規制されるとともに、ロック突起１４と溝部３０の嵌合によって、バッテリー１０（電極１１）に対して収容部材２４，２５が左右方向（バッテリー１０の並び方向）に位置決めされる。このとき、バッテリー１０の並列ピッチは精度が低く、左右方向において殆どの電極１１が位置ずれを生じている。しかし、左右に隣り合う嵌合部４１，４２同士を連結する連結部４３を弾性変形させて位置ずれ（ピッチずれ）を吸収することにより、溝部３０と弾性アーム部１３とを嵌合させることができる。
【００３０】
バスバーユニット２０の組付けが進むと、図１５に示すように、弾性アーム部１３が弾性変形して、その延出端（前端）が弾性係止片４６の延出端（後端）に当接し、保持位置（収容部材２４，２５を嵌合部４１，４２との嵌合状態に保持する位置）の弾性係止片４６を、収容部材２４，２５の外面から遠ざかった解放位置（収容部材２４，２５を嵌合部４１，４２との嵌合状態から解放させる位置）へ弾性変位させる。弾性係止片４６の弾性変位に伴い、係止孔４７が係止突起３２から外れるので、弾性係止片４６を保持位置から解放位置へ変位させるための手作業が不要であり、作業性に優れている。
【００３１】
また、上記のようにバッテリー１０の並列ピッチの精度は比較的低く、バスバーユニット２０をバッテリー１０に組み付けた状態では、殆どの連結部４３が弾性変形している。したがって、係止孔４７が係止突起３２から外れるのに伴い、連結部４３の弾性復元力により、嵌合部４１，４２が収容部材２４，２５に対し僅かではあるが左右に位置ずれし、係止孔４７が係止突起３２に対して左右に位置ずれする。
【００３２】
係止孔４７が係止突起３２から外れて左右に位置ずれした直後、図１６に示すように、弾性アーム部１３が弾性復帰してロック突起１４がロック孔３１に嵌合する。このロック突起１４とロック孔３１の係止により、収容部材２４，２５が、バッテリー１０に対して前方への離脱を規制される。この間、収容部材２４，２５が、バッテリー１０に対して左右方向への位置ずれを規制された状態で維持される。以上により、収容部材２４，２５がバッテリー１０に対して組付け状態にロックされる。
【００３３】
また、係止孔４７（弾性係止片４６）が係止突起３２に対して左右に位置ずれしているので、弾性アーム部１３が弾性復帰して弾性係止片４６から解離しても、弾性係止片４６は係止突起３２に乗り上がった状態に保たれる。したがって、収容部材２４，２５がバッテリー１０に組み付けられた後は、多機能部材４０は、前方へ引っ張ることによって、収容部材２４，２５及びバッテリー１０から離脱させることができる。
【００３４】
多機能部材４０を外した後は、接続孔２３に通したボルト１５を雌ネジ孔１２にねじ込み、バスバー２１，２２を、電極１１に対して導通可能に固定する。これにより、隣り合うバッテリー１０がバスバー２１，２２を介して直列に接続される。全てのバスバー２１，２２を電極１１に固定した後は、図１７に示すように、再び、多機能部材４０の嵌合部４１，４２を収容部材２４，２５に組み付け、弾性係止片４６とロック突起１４の係止により、組付け状態にロックする。多機能部材４０を組み付けると、バスバー２１，２２における電極１１との接続部分及びボルト１５が、保護部４４，４５によって覆い隠されるので、外部からの異物の干渉から保護される。
【００３５】
本実施例のバスバーユニット２０は、複数のバッテリー１０の電極１１を接続するための複数のバスバー２１，２２と、複数のバスバー２１，２２を個別に収容する複数の収容部材２４，２５と、単一部材からなる多機能部材４０とを備える。この多機能部材４０は、複数の収容部材２４，２５と個別に嵌合可能な複数の嵌合部４１，４２と、複数の嵌合部４１，４２を相対変位可能に連結する弾性撓み可能な複数の連結部４３とを備えて構成される。そして、複数のバスバー２１，２２をバッテリー１０の電極１１に一括して位置決めする際には、連結部４３を弾性撓みさせることで複数の嵌合部４１，４２を相対変位させるようになっている。
【００３６】
このバスバーユニット２０（多機能部材４０）を用いれば、バッテリー１０が位置ずれしていても、連結部４３を弾性撓みさせてバスバー２１，２２の位置を相対変位させることにより、バッテリー１０の位置ずれを吸収し、複数のバスバー２１，２２をバッテリー１０の電極１１に一括して位置決めすることができる。本実施形態の多機能部材４０は、バスバー２１，２２を収容するための収容部材２４，２５とは別の部品であるから、小型で形状が簡素である。したがって、多機能部材４０を形成するための金型のコストを低く抑えることができる。
【００３７】
また、本実施例のバスバー２１，２２の取付け構造は、電極１１を有する複数のバッテリー１０と、バッテリー１０側に設けられた弾性アーム部１３と、バスバーユニット２０とを備えて構成される。バスバーユニット２０は、電極１１に接続される複数のバスバー２１，２２と、複数のバスバー２１，２２を個別に収容する複数の収容部材２４，２５と、単一部材からなり、複数の収容部材２４，２５と個別に嵌合可能な複数の嵌合部４１，４２が形成された多機能部材４０と、嵌合部４１，４２に形成され、収容部材２４，２５を嵌合部４１，４２に嵌合した状態でバスバー２１，２２を覆い隠す保護部４４，４５と、嵌合部４１，４２に形成された弾性係止片４６とを備えている。弾性係止片４６は、収容部材２４，２５を嵌合部４１，４２との嵌合状態に保持する保持位置と、収容部材２４，２５を嵌合部４１，４２との嵌合状態から解放させる解放位置との間で変位可能であり、バスバー２１，２２が電極１１に位置決めされると、弾性アーム部１３によって保持位置から解放位置へ変位させられる。
【００３８】
この構成によれば、バスバー２１，２２を電極１１に位置決めする前の状態において、収容部材２４，２５に収容されているバスバー２１，２２を、保護部４４，４５で覆い隠すことにより、バスバー２１，２２に対する異物の付着を防止できる。また、バスバー２１，２２が電極１１に対して位置決めされると、弾性係止片４６が、弾性アーム部１３により保持位置から解放位置へ変位させられて、収容部材２４，２５は嵌合部４１，４２との嵌合状態から解放されるので、作業者は、弾性係止片４６を解放位置へ変位させるための作業を行わずに済む。しかも、嵌合部４１，４２が形成されている多機能部材４０は単一部材であるから、複数の収容部材２４，２５から複数の嵌合部４１，４２を離脱させる作業を、ワンアクションで行うことができる。したがって、作業性に優れている。
【００３９】
＜他の実施例＞
本発明は上記記述及び図面によって説明した実施例に限定されるものではなく、例えば次のような実施例も本発明の技術的範囲に含まれる。
（１）上記実施例では、バスバーを電極に固定した後、再び、位置決め吸収部材（保持部材）を収容部材に嵌合して、バスバーと電極との接続部分を覆い隠すようにしたが、本発明によれば、バスバーを電極に固定した後は、位置決め吸収部材とは異なる保護部材を収容部材に嵌合して、バスバーと電極との接続部分を覆い隠してもよい。
（２）上記実施例では、電極に雌ネジ孔を形成したが、電極にスタッドボルトを設けてもよい。この場合、スタッドボルトにバスバーの取付孔を嵌合することによって、バスバーを電極に対して位置決めすることができる。
（３）上記実施例では、嵌合部を連結する連結部を弾性撓みさせることにより、バッテリーの位置ずれに応じてバスバーを相対変位させ、バッテリーの位置ずれを吸収するようにしたが、連結部が弾性撓みしない形態であってもよい。
【符号の説明】
【００４０】
１０…バッテリー
１１…電極
１３…弾性アーム部（解除部）
２０…バスバーユニット
２１…第１バスバー
２２…第２バスバー
２４…第１収容部材
２５…第２収容部材
４０…多機能部材（保持部材）
４１…第１嵌合部
４２…第２嵌合部
４３…連結部
４４…第１保護部
４５…第２保護部
４６…弾性係止片（係止部）
【図１】
2014082081.tif 000003
【図２】
2014082081.tif 000004
【図３】
2014082081.tif 000005
【図４】
2014082081.tif 000006
【図５】
2014082081.tif 000007
【図６】
2014082081.tif 000008
【図７】
2014082081.tif 000009
【図８】
2014082081.tif 000010
【図９】
2014082081.tif 000011
【図１０】
2014082081.tif 000012
【図１１】
2014082081.tif 000013
【図１２】
2014082081.tif 000014
【図１３】
2014082081.tif 000015
【図１４】
2014082081.tif 000016
【図１５】
2014082081.tif 000017
【図１６】
2014082081.tif 000018
【図１７】
2014082081.tif 000019